(57)【要約】      （修正有）【課題】玄関や勝手口等のドアに設置している錠前にセットして、技巧なピッキングの施錠破りを防ぐ防犯用の補助具を提供する。【解決手段】ドアの既設の錠前のサイズを確り測って、本補助具の“円月”をその錠前のハンドルに通し、次にサムターンにピッタリ押し当てる。このように本補助具をドアの錠前の内側にセットすることにより外からはピッキングでも合鍵でもサムターンは回らずドアは決して開かない。【選択図】図４
0003152290.tif 000002
【実用新案登録請求の範囲】
【請求項１】
玄関や勝手口のドアに錠前をセットで取り付けている、そのドアの内側の方の錠前に本考案のピッキングを防ぐ防犯用の補助具『ジーマン』の実用新案。
【考案の詳細な説明】
【技術分野】
【０００１】  『ジーマン』は玄関や勝手口のドアに使っている錠前に取り付けてピッキングから守る防犯の補助具（図１参照）である。
【背景技術】
【０００２】  玄関や勝手口のドアに使用しいいる錠前の種類は大変多い、そのなかでハンドル型（仮名、図２参照）の錠前が多く使われている、ハンドル型もそのサイズ等はまちまちのため、考案の『ジーマン』はそのサイズをいちいち測って造る。
【考案の開示】
【考案が解決しようとする課題】
【０００３】  玄関や勝手口のドアの錠前を巧みにピッキングして侵入する強盗が多発している、と新聞は更に最悪の事態が犯されていることを報じている、考案の『ジーマン』はこれが絶対に解決することが出来る。
【課題を解決するための手段】
【０００４】  『ジーマン』は既設のハンドル型の錠前に合わして造る防犯の補助具である。
増加しているピッキング技巧犯、せめてハンドル型の錠前を使っているドアについては絶対に開けられない、解錠はされない、そして怖い強盗の侵入を完全に防ぎ身を守るための手段として考案した。
【考案を実施するための最良の形態】
【０００５】  ハンドル型の錠前も種類が多いので『ジーマン』もいちいちそこの既設の錠前のサイズを測って造る、その一例を述べると、厚み１８０ミリ円径３センチの輪でこの輪を便宜上“円月”と言う、そしてこの“円月”にゴム板を引っ付けてガラスの入ってない、手元も１８０ミリの厚い太くした天眼鏡に似ている。
このようにした『ジーマン』を内側の錠前のサムターンに確り突き上げる（図４、５参照）。
【図１】
0003152290.tif 000003
【図２】
0003152290.tif 000004
【図３】
0003152290.tif 000005
【図４】
0003152290.tif 000006
【図５】
0003152290.tif 000007
【手続補正書】
【提出日】平成19年11月6日(2007.11.6)
【手続補正１】
【補正対象書類名】実用新案登録請求の範囲
【補正対象項目名】全文
【補正方法】変更
【補正の内容】
【実用新案登録請求の範囲】
【請求項１】
玄関や勝手口のドアに使っている既設のハンドル型の錠前（仮称、図２参照）のドアの内側の方にセット（図５、参照）する防犯用の補助具『ジーマン』（図１、参照）の実用新案を請求。
【手続補正２】
【補正対象書類名】明細書
【補正対象項目名】全文
【補正方法】変更
【補正の内容】
【考案の詳細な説明】
【技術分野】
【０００１】  『ジーマン』は玄関や勝手口のドアに使っている既設の錠前に取り付けて、その錠前を守る防犯強化の補助具である（図４、参照）。
【背景技術】
【０００２】玄関や勝手口のドアに使っている錠前の種類は多い、しかしその種類のなかでもハンドル型の錠前が多く『ジーマン』はハンドル型）にピッタリ重宝にセットするよに考案した（図１、図４、参照）。
【考案の開示】
【考案が解決しようとする課題】
【０００３】  巧なピッキング強盗が多発していると新聞等が報じ、事態は更に悪化の傾向としている。
『ジーマン』はこのおそろしい事態、ピッキング強盗を防ごうとするものである。
【課題を解決するための手段】
【０００４】  増加しているピッキング技巧犯に対しては、この自慢の『ジーマン』の取り付けによりドアは絶対に開かない、解錠はできないとして強盗の侵入は完全に防げるので課題は解決し心配がなくなる。
【考案を実施するための最良の形態】
【０００５】  最良の形態としては既設のハンドル型の錠前に合わして『ジーマン』を造ることである。
『ジーマン』で一番肝心なところはハンドル型のハンドルに通す（図３、参照）図１のＡ（便宜上円月と言う）である。
この円月を基にしてＢのゴム板をハンドル型の錠前のＤのサムターンにピッタリ引っ付く（図４、参照）ように調節し、造ることが大切である。
【図面の簡単な説明】
【０００６】
【図１】  は考案の『ジーマン』の図である。
【図２】  はハンドル型（仮名）の錠前の図である。
【図３】  は施錠したハンドル型の錠前のハンドルに考案の『ジーマン』を通した図である。
【図４】  は施錠したハンドル型の錠前に考案の『ジーマン』をセットした図である。
【図５】  は『ジーマン』をセットした正面図、即ち図４を横から見た横面図である。
【手続補正３】
【補正対象書類名】図面
【補正対象項目名】全図
【補正方法】変更
【補正の内容】
【図１】
0003152290.tif 000008
【図２】
0003152290.tif 000009
【図３】
0003152290.tif 000010
【図４】
0003152290.tif 000011
【図５】
0003152290.tif 000012
【手続補正書】
【提出日】平成20年2月29日(2008.2.29)
【手続補正１】
【補正対象書類名】実用新案登録請求の範囲
【補正対象項目名】全文
【補正方法】変更
【補正の内容】
【実用新案登録請求の範囲】
【請求項１】
考案の『ジーマン』は玄関や勝手口のドアに取り付けている既設の錠前にセットしてなお一層の防犯の強化を計る用具である。
『ジーマン』は昨今多発していると報じられている、ピッキング防止法違反の強盗に対する対応策として考案した。
この『ジーマン』の型を一口に言うと、ガラスの入ってない「天眼鏡』に似てその丸い３センチ程の輪を便宜上“円月”と名付け、その手元の方は、やや硬いゴム材で造るのであるが、既設の錠前の内ら側のサイズを測り、その錠前の真上にあるサムターンを押し上げられるように造る。
そして既設のハンドル型の錠前（仮称）のハンドルに“円月”を通して、サムターンの下にセットする。
これでピッキングを防ぎ合鍵でもサムターンは回らずドアは絶対に開かない。
尚『ジーマン』は、  １）取り付け取り外しが簡単で、２）ドアには一切工事の必要は無く、また３）ハンドル型の錠前についても臨機に応用が出来るものもあり、これも“ジーマン』の特徴とする。
【手続補正書】
【提出日】平成20年6月10日(2008.6.10)
【手続補正１】
【補正対象書類名】実用新案登録請求の範囲
【補正対象項目名】全文
【補正方法】変更
【補正の内容】
【実用新案登録請求の範囲】
【請求項１】
厚み３ミリ幅２０ミリのボール紙で円み３５ミリの輪を作りその手元に幅２０ミリ横幅３０ミリ長形６０ミリのやや堅いゴム版も一緒にセットとしてやや軟らかいゴム帯を巻添えるその形状は恰もガラスの入ってない天眼鏡に似ている。  以上が物品の具体的な形状及び構造並びに素材を組み合わせた防犯用具について実用新案の登録を請求する。［使用目的そして使用方法］  ピッキング防止法を無視し違反の凶悪な強盗が多いと報じらている。  考案はこの対策として玄関や勝手口等のドアに取り付けている既設の錠前の補助錠でその主錠にセットしてピッキングを防止してサムターン回しを防ぎ恐ろしい強盗を撃退するものである。［考案の詳細な説明と効果］  既述の通り円い３５ミリの輪を便宜上円月と言いその円月を既設のハンドル型の錠前（仮称）のハンドルに通してその既設の錠前のサムターンの下部に持つていきサムターンにピッタリ押し当ててセットするとサムターンは回らずドアは開かない。  故にピッキングを防ぎ仮に合鍵を持ってきても合鍵は効かず従ってドアは開かない。  以上ガラスの入ってない天眼鏡に似ているこの物品を自慢の防犯用Ｇメンと呼びそしてジーマンと改めて効果のほどは充分に期待できると確信している。  なおこのジーマンの取り付け取り外しは至極簡単である。
【手続補正書】
【提出日】平成20年11月28日(2008.11.28)
【手続補正１】
【補正対象書類名】実用新案登録請求の範囲
【補正対象項目名】全文
【補正方法】変更
【補正の内容】
【実用新案登録請求の範囲】
【請求項１】
玄関や勝手口のドアにおける既設のハンドル型の錠前のドアの内側にセットする防犯用の補助具であって、そのドアの既設のハンドル型の錠前の種類に合わし例えば「厚み３ミリ幅２０ミリのボール紙を円み３０ミリの輪を作りその手元は幅２０ミリ横幅３０ミリ長形６０ミリのやや堅いゴムバン板を添える、その形状はまさにガラスの入ってない天願鏡に似ていることを特徴とする防犯用補助具。」
【手続補正２】
【補正対象書類名】明細書
【補正対象項目名】全文
【補正方法】変更
【補正の内容】
【考案の詳細な説明】
【考案の詳細な説明】
【使用目的そして使用方法】
近時新聞等にピッキング防止法を無視した凶悪な空き巣狙いの強盗が多発していると報じじている。
本案「登録願」はその対策として既設のハンドル型の錠前を補助して一層防犯の強化を計りピッキングを防ぐことを目的として考案しそして便宜上ジーマンと銘々した。
使用方法はガラスの入ってない天願鏡に似たジーマンの丸い輪を既設のハンドル型の錠前のハンドルに通し錠前の上部のサムターンにピッタリひっつけて取り付ける。
【考案の効果】
考案の錠前補助具を使用することにより、すなわちドアに取り付けている既設のハンドル型の錠前にセットすることによりピッキングを防ぎかりに合鍵を使ってもドアは開かない。
尚錠前補助具の取り付け取り外しは簡単で便利である。
【手続補正書】
【提出日】平成21年2月17日(2009.2.17)
【手続補正１】
【補正対象書類名】実用新案登録請求の範囲
【補正対象項目名】全文
【補正方法】変更
【補正の内容】
【実用新案登録請求の範囲】
【請求項１】
玄関や勝手口のドアにハンドル型の錠前をセットしているその既設の内側の方に取り付ける考案の防犯用「錠前補助具」の実用新案の登録を請求する。
【手続補正書】
【提出日】平成21年4月28日(2009.4.28)
【手続補正１】
【補正対象書類名】実用新案登録請求の範囲
【補正対象項目名】全文
【補正方法】変更
【補正の内容】
【実用新案登録請求の範囲】
【請求項１】
玄関や勝手口のドアに取り付けている既設のハンドル型の錠前のその内側にセットする防犯用の錠前の補助具てあってこの補助具はボール紙で輪を作りその手元はやや堅いゴム板を添える、その形状はガラスの入ってない天願鏡に似ていることを特徴とする防犯用錠前補助具。
【手続補正２】
【補正対象書類名】明細書
【補正対象項目名】全文
【補正方法】変更
【補正の内容】
【考案の詳細な説明】
【考案の詳細な説明】
【使用目的そして使用方法】
近時新聞等でピッキング防止法を無視した凶悪な空き巣狙いの強盗が多発していると報じられている。
その対策とした『防犯用錠前補助具』は既設のハンドル型の錠前を補助し一層防犯の鏡花を計ってピッキング強盗を防ぐ目的で考案したものである。
使用方法は天願鏡に似たガラスの入ってない丸い輪を錠前のハンドルに通しその錠前の上部のサムターンにピッタリ引き付ける。
【考案の効果】
考案の錠前の補助具により、即ちピッキングを防ぎ、またかりに合鍵を使ってもドアは開かない。
そしてこの補助具の取り付け取り外しは簡単にできる。
またドアには一切工事はしない。
【図面の簡単な説明】
【図１】  は考案の防犯用錠前補助具。
【図２】  はドアに取り付けているハンドル型（仮名）の錠前。
【図３】  は既設のハンドル型の錠前のハンドルに考案の補助具を通している図。
【図４】  はドアに施錠したハンドル型の錠前に考案の補助具をセットし錠前のサムターンにピッタリ引き当てた図た図。
【図５】  考案の補助具をセットした正面図、即ち図４を横から見た横面図。